(57)【要約】【課題】計測器本体にゴム球を組み付けた血圧計において、ゴム球の取付け構造にネジ式構造を採用する場合に比べて、ゴム球の着脱作業を簡単かつ短時間で行えるようにする。【解決手段】カフユニットにチューブを介して接続される血圧計本体を備える血圧計であって、血圧計本体は、本体ケースに固定状態で保持される受け入れ部材３３を有し、ゴム球ユニットは、ゴム球に取り付けられた連結部材７３を有する。受け入れ部材３３は、一端を開口した筒部３３ａを有し、連結部材７３は、可撓性を有する一対の係止片７５ａを有する。一対の係止片７５ａの各々は、凸状の引っ掛け部７５ｅを有し、この引っ掛け部７５ｅが、筒部３３ａの内部では係止片７５ａの撓み反力によって筒部３３ａの内面に接触し、筒部３３ａの開口縁では係止片７５ａの撓み反力の開放によって筒部３３ａの開口縁に引っ掛かるように構成されている。【選択図】図２６
2011218012.tif 000002
【特許請求の範囲】
【請求項１】
血圧測定の対象となる被測定者の動脈の通過部位に巻かれるカフユニットと、
前記カフユニットにチューブを介して接続される血圧計本体とを備え、
前記血圧計本体は、
血圧測定の計測機能を有する計測器ユニットと、
前記カフユニットに前記チューブを介して空気を送り込むゴム球ユニットとを有し、
前記ゴム球ユニットは、
ゴム球と、
前記ゴム球を前記計測器ユニットに連結するために前記ゴム球に取り付けられた連結部材とを有し、
前記計測器ユニットは、
本体ケースと、
前記本体ケースに固定状態で保持されるとともに、前記連結部材を受け入れる受け入れ部材とを有し、
前記受け入れ部材は、一端を開口した筒部を有し、
前記連結部材は、前記受け入れ部材の筒部に挿入されるとともに、前記受け入れ部材の開口の径方向に可撓性を有する一対の係止片を有し、
前記一対の係止片の各々は、前記受け入れ部材の開口の拡径方向に凸状をなす引っ掛け部を有し、この引っ掛け部が、前記筒部の内部では前記係止片の撓み反力によって前記筒部の内面に接触し、前記筒部の開口縁では前記係止片の撓み反力の開放によって前記筒部の開口縁に引っ掛かるように構成されている
ことを特徴とする血圧計。
【請求項２】
前記筒部は、この筒部の開口縁の一部に凹状に形成された一対の係着部を有し、
前記一対の係止片の各々は、それぞれに対応する前記一対の係着部に引っ掛かるように構成されている
ことを特徴とする請求項１に記載の血圧計。
【請求項３】
前記一対の係止片の各々は、前記筒部の円周方向の一方側に位置して前記引っ掛け部の一端に形成されたテーパー部を有する
ことを特徴とする請求項１または２に記載の血圧計。
【請求項４】
前記本体ケースの外面に、前記計測器ユニットから前記ゴム球を取り外すときの操作方向を表記する操作方向表記部が形成されている
ことを特徴とする請求項１，２または３に記載の血圧計。
【請求項５】
前記操作方向表記部は、前記操作方向を示す矢印と、操作の内容を示す文字との組み合わせによって形成されている
ことを特徴とする請求項４に記載の血圧計。
【請求項６】
前記連結部材は前記受け入れ部材を用いて前記本体ケースに接続され、この接続部分に位置して、前記連結部材と前記ケース本体とにそれぞれ目印が設けられている
ことを特徴とする請求項１〜５のいずれか一つに記載の血圧計。
【発明の詳細な説明】
【技術分野】
【０００１】
本発明は、血圧の測定に用いられる血圧計に関する。
【背景技術】
【０００２】
血圧計の一つの形態として、血圧計本体とカフユニットをチューブで接続するとともに、血圧計本体にゴム球を組み付けたものがある。この種の血圧計を使用して血圧を測定する場合は、次のような手順をとる。まず、血圧測定の対象となる被測定者の腕にカフユニットを巻き付けて装着する。次に、ゴム球を繰り返し握り込むことで、血圧計本体側からチューブを通してカフユニットに空気を送り込む。そうすると、被測定者の腕がカフユニットによって締め付けられるため、その部分の動脈が圧迫されて血液の流れが止まる。次に、カフユニットから徐々に空気を抜いていく。そうすると、空気が抜けるにしたがってカフユニットによる締め付けが緩むため、再び血液が流れ始める。このとき、流れ始めた血液が血管にぶつかる音、すなわちコロトコフ音を、たとえば血圧計本体に内蔵のセンサで検出し、この検出結果に基づいて血圧の測定値（最高血圧値および最低血圧値）を得る。
【０００３】
一般に、血圧測定に用いられるゴム球は、使用回数の増加や経時的な要因などによって弾力性等の特性が劣化する。このため、ゴム球は、ある程度の期間使用した段階で交換する必要がある。血圧計本体に対するゴム球の取付け構造としては、雄ネジと雌ネジを組み合わせた構造（以下、「ネジ式構造」）が知られている（たとえば、特許文献１を参照）。
【先行技術文献】
【特許文献】
【０００４】
【特許文献１】特開２００６−７５４３９号公報
【発明の概要】
【発明が解決しようとする課題】
【０００５】
しかしながら、ゴム球をネジ式構造で取り付ける場合は、次のような問題があった。
すなわち、血圧計本体に対してゴム球を取り付ける場合は、その都度、ゴム球を手で握ってクルクルまわす必要がある。また、ゴム球を安定的に取り付けるには、ネジの長さをある程度長く確保する必要がある。そうすると、取付け時に必要となるゴム球をまわす回数が多くなる。このため、ゴム球の取付け作業が面倒になる。
【０００６】
また、ゴム球はそれ自身、ゴム特有の柔軟な弾力性をもっている。このため、ゴム球を手でまわすときに、ゴム球が弾性変形を起こしやすい。ゴム球の弾性変形は、たとえば、実際に取付けを行う作業者に対して、「ゴム球をこれ以上強い力でまわしたら、ゴム球の取付け部分が破損してしまうのではないか」という心理的な圧迫感を与える。したがって、ゴム球を強くまわして固定するのに心理的なためらいが生じる。その結果、ゴム球の取付け部分の締付けが不十分になりやすいという欠点がある。また、その締付けが弱いと、その後の使用中に締付けが徐々にゆるむおそれがあり、それを避けるために強く締付けすぎると、今度は取り外すときの作業が困難になる。なぜなら、ゴム球を強く締め付けると、その分だけ取外しに必要とされる回転トルクが大きくなるからである。
【０００７】
本発明の主な目的は、計測器本体にゴム球を組み付けた形態の血圧計において、ゴム球の取付け構造にネジ式構造を採用する場合に比べて、ゴム球の着脱作業を簡単かつ短時間で行うことができる技術を提供することにある。
【課題を解決するための手段】
【０００８】
本発明の第１の態様は、
血圧測定の対象となる被測定者の動脈の通過部位に巻かれるカフユニットと、
前記カフユニットにチューブを介して接続される血圧計本体とを備え、
前記血圧計本体は、
血圧測定の計測機能を有する計測器ユニットと、
前記カフユニットに前記チューブを介して空気を送り込むゴム球ユニットとを有し、
前記ゴム球ユニットは、
ゴム球と、
前記ゴム球を前記計測器ユニットに連結するために前記ゴム球に取り付けられた連結部材とを有し、
前記計測器ユニットは、
本体ケースと、
前記本体ケースに固定状態で保持されるとともに、前記連結部材を受け入れる受け入れ部材とを有し、
前記受け入れ部材は、一端を開口した筒部を有し、
前記連結部材は、前記受け入れ部材の筒部に挿入されるとともに、前記受け入れ部材の開口の径方向に可撓性を有する一対の係止片を有し、
前記一対の係止片の各々は、前記受け入れ部材の開口の拡径方向に凸状をなす引っ掛け部を有し、この引っ掛け部が、前記筒部の内部では前記係止片の撓み反力によって前記筒部の内面に接触し、前記筒部の開口縁では前記係止片の撓み反力の開放によって前記筒部の開口縁に引っ掛かるように構成されている
ことを特徴とする血圧計である。
【０００９】
本発明の第２の態様は、
前記筒部は、この筒部の開口縁の一部に凹状に形成された一対の係着部を有し、
前記一対の係止片の各々は、それぞれに対応する前記一対の係着部に引っ掛かるように構成されている
ことを特徴とする上記第１の態様に記載の血圧計である。
【００１０】
本発明の第３の態様は、
前記一対の係止片の各々は、前記筒部の円周方向の一方側に位置して前記引っ掛け部の一端に形成されたテーパー部を有する
ことを特徴とする上記第１または第２の態様に記載の血圧計である。
【００１１】
本発明の第４の態様は、
前記本体ケースの外面に、前記計測器ユニットから前記ゴム球を取り外すときの操作方向を表記する操作方向表記部が形成されている
ことを特徴とする上記第１、第２または第３の態様に記載の血圧計である。
【００１２】
本発明の第５の態様は、
前記操作方向表記部は、前記操作方向を示す矢印と、操作の内容を示す文字との組み合わせによって形成されている
ことを特徴とする上記第４の態様に記載の血圧計である。
【００１３】
本発明の第６の態様は、
前記連結部材は前記受け入れ部材を用いて前記本体ケースに接続され、この接続部分に位置して、前記連結部材と前記ケース本体とにそれぞれ目印が設けられている
ことを特徴とする上記第１〜第５のいずれか一つの態様に記載の血圧計である。
【発明の効果】
【００１４】
本発明によれば、計測器本体にゴム球を組み付けた形態の血圧計において、ゴム球の取付け構造にネジ式構造を採用する場合に比べて、ゴム球の着脱作業を簡単かつ短時間で行うことができる。
【図面の簡単な説明】
【００１５】
【図１】本発明の実施の形態に係る血圧計の全体構成を示す概略図である。
【図２】血圧計本体の分解斜視図である。
【図３】（Ａ）はアッパーケースユニットの分解斜視図であり、（Ｂ）はアッパーケースユニットの組立斜視図である。
【図４】（Ａ）はアッパーケースユニットのケース半体を上側（表側）からみた斜視図であり、（Ｂ）はアッパーケースユニットのケース半体を下側（裏側）からみた斜視図である。
【図５】加圧補助部の機能を説明するための図である。
【図６】（Ａ）は基板ユニットを上側からみたときの斜視図であり、（Ｂ）は基板ユニットを下側からみたときの斜視図である。
【図７】コネクタユニットの分解斜視図である。
【図８】コネクタユニットの組立遷移図である。
【図９】コネクタユニットの組立後の状態を示す図である。
【図１０】（Ａ），（Ｂ），（Ｃ）は受け入れ部材の構造を示す斜視図である。
【図１１】（Ａ），（Ｂ）はエアープラグの構造を示す斜視図である。
【図１２】（Ａ）はボトムケースユニットを上側からみた斜視図であり、（Ｂ）はボトムケースユニットを下側からみた斜視図である。
【図１３】（Ａ）はボトムケースユニットを上側からみたときの分解斜視図であり、（Ｂ）はボトムケースユニットを下側からみたときの分解斜視図である。
【図１４】（Ａ）〜（Ｃ）はゴム球ユニットの構成とその組立手順を示す斜視図である。
【図１５】（Ａ），（Ｂ），（Ｃ）は連結部材の構造を示す斜視図である。
【図１６】血圧計本体の組立手順を説明する図（その１）である。
【図１７】血圧計本体の組立手順を説明する図（その２）である。
【図１８】血圧計本体の組立手順を説明する図（その３）である。
【図１９】血圧計本体の組立手順を説明する図（その４）である。
【図２０】血圧計本体の組立手順を説明する図（その５）である。
【図２１】（Ａ），（Ｂ）は血圧計本体の組立後の状態を示す図である。
【図２２】（Ａ）は血圧計本体のチューブ接続部分（図２１のＪ−Ｊ矢視部分）の構造を示す断面図であり、（Ｂ）はその斜視図である。
【図２３】（Ａ），（Ｂ）はエアープラグの首振り動作の一例を示す図である。
【図２４】（Ａ）はボトムケースユニットのケース半体の下面図であり、（Ｂ）はその部分拡大図である。
【図２５】計測器ユニットにゴム球ユニットを装着するときの状態を示す斜視図である。
【図２６】受け入れ部材と連結部材を結合するときの遷移図である。
【図２７】計測器ユニットからゴム球ユニットを取り外すときの回転操作を説明する図である。
【発明を実施するための形態】
【００１６】
以下、本発明の具体的な実施の形態について図面を参照しつつ詳細に説明する。
本発明の実施の形態においては、次の順序で説明を行う。
１．血圧計の全体構成
２．血圧計本体の構成
３．血圧計本体の組立手順
４．エアーコネクタとエアープラグの取付状態
５．受け入れ部材と連結部材の取付状態
６．実施の形態の効果
７．変形例
【００１７】
＜１．血圧計の全体構成＞
図１は本発明の実施の形態に係る血圧計の全体構成を示す概略図である。まず、血圧計１の構成を容易に理解できるように、血圧計１の主な構成要素を列挙し、その後で、各構成要素の概要を説明する。
血圧計１は、血圧計本体２と、カフユニット３と、チューブ４とを備えた構成となっている。
【００１８】
（血圧計本体の概要）
血圧計本体２は、血圧の測定に必要な種々の機能を有するものである。具体例を挙げると、血圧計本体２は、血圧の測定に必要な各種のセンサ機能や、血圧の測定結果や測定履歴などを表示する機能や、空気の給気および排気の機能、操作の機能などを有する。血圧計本体２は、血圧の測定を行う者（以下、「測定者」と記す）が手で持って扱えるようになっている。血圧計本体２の詳細については後述する。
【００１９】
（カフユニットの概要）
カフユニット３は、血圧測定の対象となる被測定者の動脈の通過部位を圧迫するために用いられるものである。ここで記述する「動脈の通過部位」とは、被測定者の身体の一部であって、たとえば、腕、手首、足首、腿、指など、動脈を圧迫して血圧を測定可能な部位をいう。本実施の形態においては、一例として、被測定者の腕（一般的には上腕部）に巻かれるカフユニットを用いることとする。カフユニット３は、カフと呼ばれる、空気袋付きの血管圧迫帯を用いて構成されている。カフユニット３は、被測定者の腕を圧迫するために、被測定者の腕に巻き付けて使用される。カフは、全体が布等で覆われ、被測定者の腕に巻き付けたときに、たとえば、面ファスナーによって留め付けられるようになっている。ちなみに、血圧計１は、ひとりでも取り扱えるため、測定者と被測定者が同一人となることもあり得る。
【００２０】
（チューブの概要）
チューブ４は、たとえば、ゴム製の細長いチューブを用いて構成されている。チューブ４は、血圧計本体２とカフユニット３との間で、血圧計本体２側からカフユニット３に空気を送り込む場合や、カフユニット３から血圧計本体２側に空気を取り込む場合に、両者の間で空気を行き来させるものである。
【００２１】
＜２．血圧計本体の構成＞
以下、血圧計本体２の構成について詳しく説明する。
図２は血圧計本体の分解斜視図である。血圧計本体２は、大きくは、血圧の計測機能を有する計測器ユニット５と、この計測器ユニット５を介してカフユニット３に空気を送り込むゴム球ユニット６とから構成されている。
【００２２】
（計測器ユニットの全体構成）
計測器ユニット５は、アッパーケースユニット７と、基板ユニット８と、コネクタユニット９と、ボトムケースユニット１０とを備えた構成となっている。
以下、計測器ユニット５の各構成要素について説明する。
【００２３】
（アッパーケースユニットの構成）
図３（Ａ）はアッパーケースユニットの分解斜視図であり、同図（Ｂ）はアッパーケースユニットの組立斜視図である。また、図４（Ａ）はアッパーケースユニットのケース半体を上側（表側）からみた斜視図であり、同図（Ｂ）はアッパーケースユニットのケース半体を下側（裏側）からみた斜視図である。
【００２４】
アッパーケースユニット７は、計測器ユニット５の上側のケースを構成するものである。アッパーケースユニット７は、ケース半体１１と、ディスプレイパネル１２とを用いて構成されている。ケース半体１１は、たとえば、樹脂の一体成形によって得られる成形体である。ケース半体１１は全体的に平面視略矩形状に形成され、その矩形の一辺部から突出する状態で加圧補助部１３が設けられている。
【００２５】
ケース半体１１には、図４（Ｂ）に示すように、バックライトセンサの穴１４と、エアーコネクタ固定用の保持部１５ａと、エアープラグ固定用の保持部１５ｂと、連結部材受け入れ部材固定用の保持部１５ｃと、ネジ止め穴１６と、基板押さえ用のボス１７と、表示用の窓１８と、操作用のボタン１９が設けられている。
【００２６】
穴１４および保持部１５ａ，１５ｂは、ケース半体１１の加圧補助部１３とは反対側の一辺部に設けられている。保持部１５ｃは、ケース半体１１の加圧補助部１３の付け根部分に設けられている。ネジ止め穴１６は、窓１８の周囲３箇所に設けられている。ボス１７は、ケース半体１１の四隅の１つに設けられている。窓１８は、長方形の開口形状に形成されている。ボタン１９は、血圧計１を使用するにあたって、たとえば、電源のオンオフの状態を切り替えたり、表示内容を変更したりするときに、使用者によって押下操作されるものである。ボタン１９は、ケース半体１１の加圧補助部１３が設けられている側の一辺部に横並びに複数（図例では４つ）設けられている。
【００２７】
加圧補助部１３は、後述するゴム球の外面にならって湾曲するように形成されている。加圧補助部１３の中央部には、楕円形の抜き孔１３ａが設けられている。加圧補助部１３は、ゴム球を繰り返し握り込んで加圧するときに、血圧計本体２側の揺れを抑えるものである。実際の加圧作業では、測定者が手の親指とその付け根部分を加圧補助部１３の外面（上面）にそえて、親指以外の４本の指でゴム球を握り込むようにする。そうすると、加圧補助部１３が設けられていない場合に比較して、計測器ユニット５の、図５の矢印方向への揺れが抑えられる。また、測定者は、加圧補助部１３にそえた親指の部分をささえにゴム球を握り込めるため、加圧の作業を楽に行うことができる。
【００２８】
ディスプレイパネル１２は、少なくともケース半体１１の窓１８に対応する部分が光を透過するように、たとえば、透明又は半透明な樹脂を用いて形成されている。ディスプレイパネル１２は、窓１８の開口寸法よりも大きな外形寸法をもって平面視略矩形状に形成されている。ディスプレイパネル１２には、複数のボタン１９の配列にあわせて長穴１２ａが形成されている。ディスプレイパネル１２は、たとえば、外周部の複数箇所にわたって小さな爪部が設けられている。そして、ディスプレイパネル１２は、それらの爪部を、それに対応してケース半体１１に形成されたスリットに引っ掛けることにより、ケース半体１１の上面に装着（固定）されるようになっている。この装着状態においては、ケース半体１１の窓１８がディスプレイパネル１２によって覆われる。
【００２９】
（基板ユニットの構成）
図６（Ａ）は基板ユニットを上側からみたときの斜視図であり、同図（Ｂ）は基板ユニットを下側からみたときの斜視図である。基板ユニット８は、血圧測定に係る機能の一例として、表示機能、計測機能、操作機能などを備えるものである。基板ユニット８は、ベースとなるプリント配線基板２０と、液晶表示部２１と、押さえ爪２２と、図示しないバックライトと、バックライトセンサ２３と、複数のボス２４と、圧力センサ２５と、コネクタ２６とを備えた構成となっている。
【００３０】
プリント配線基板２０は、先に例示した各種の機能を実現するための電気回路を構成するものである。プリント配線基板２０には、たとえば、図示しないトランジスタ、スイッチ、抵抗器、コンデンサなどの電子部品が実装されている。プリント配線基板２０の外周縁には、複数の切り欠き部２０ａ，２０ｂが形成されている。このうち、切り欠き部２０ａは、ラウンド形状に形成されるとともに、プリント配線基板２０の３つの辺部にひとつずつの、計３つ設けられている。切り欠き部２０ｂは、矩形状に形成されるとともに、プリント配線基板２０のひとつの辺にひとつだけ設けられている。
【００３１】
液晶表示部２１は、たとえば、測定中の状況や測定結果、測定履歴などの測定関連情報を表示するものである。バックライトは、液晶表示部２１に対して、当該液晶表示部２１の背面側（裏側）から面状の光を照射するものである。
【００３２】
押さえ爪２２は、液晶表示部２１の４辺のうちの一辺を２箇所にわたって押さえることにより、液晶表示部２１を固定するものである。バックライトセンサ２３は、周囲の明るさを検出し、周囲の明るさに応じてバックライトのオンオフを自動制御するためのセンサである。バックライトセンサ２３は、前述した穴１４（図３参照）を通して視認される。ボス２４は、上述した操作用のボタン１９に対応して設けられたものである。各々のボス２４は、これに対応するボタン１９が押下操作されたときに、当該押下操作の押圧力をもって図示しないスイッチをオン状態とするものである。圧力センサ２５は、プリント配線基板２０に実装されている。圧力センサ２５は、後述するゴム球を用いて加圧される空気の圧力や、排気によって減圧される空気の圧力を検出するものである。コネクタ２６は、電源からの給電を受けたり、測定用の電気信号をやり取りしたりするための中継端子である。
【００３３】
（コネクタユニットの構成）
図７はコネクタユニットの分解斜視図である。また、図８はコネクタユニットの組立遷移図であり、図９はコネクタユニットの組立後の状態を示す図である。
【００３４】
コネクタユニット９は、上述したチューブ４とゴム球ユニット６のゴム球とを空間的につなぐものである。コネクタユニット９は、コネクタ本体３１と、逆止弁３２と、受け入れ部材３３と、エアーコネクタ３４と、エアープラグ３５とを用いて構成されている。
【００３５】
コネクタ本体３１は、全体に中空の筒状に形成されている。コネクタ本体３１の内部には、中心軸方向に沿って細長い貫通穴が形成されている。コネクタ本体３１の中心軸方向（長手方向）の一端部には、外径が縮小した縮径部３６が一体に形成されている。コネクタ本体３１の内径（貫通穴の穴径）は、図９（Ｂ）に示すように、中心軸方向のほぼ中間部から縮径部３６に向かって徐々に小さくなっていて、縮径部３６の形成部位ではほぼ一定の径になっている。
【００３６】
コネクタ本体３１の中心軸方向の他端側には装着部３７が一体に形成されている。装着部３７は、逆止弁３２および受け入れ部材３３を装着するために形成されたものである。装着部３７は、段付き状に径が変化するように形成されている。装着部３７の内径および外径は、コネクタ本体３１の端にいくほど拡大している。そして、装着部３７は、その最大の開口径をもってコネクタ本体３１の端部に開口している。
【００３７】
装着部３７の開口部の内周縁には、複数の切り欠き部３７ａ，３７ｂが形成されている。複数の切り欠き部３７ａ，３７ｂは、コネクタ本体３１の中心軸を挟んで相対向する２つの切り欠き部３７ａと、同じく相対向する２つの切り欠き部３７ｂとを含んでいる。２つの切り欠き部３７ａの位置と、２つの切り欠き部３７ｂの位置は、コネクタ本体３１の中心軸まわりの円周方向で９０度ずつずれている。
【００３８】
また、コネクタ本体３１には、２つの分岐部３８ａ，３８ｂが一体に形成されている。２つの分岐部３８ａ，３８ｂは、それぞれ中空構造をなすのである。２つの分岐部３８ａ，３８ｂは、コネクタ本体３１の中心軸方向において、縮径部３６と装着部３７との間に並んで設けられている。すなわち、分岐部３８ａは縮径部３６側に設けられ、分岐部３８ｂは装着部３７側に設けられている。各々の分岐部３８ａ，３８ｂは、コネクタ本体３１の中心軸に直交する方向（コネクタ本体３１の外径が拡大する方向）に突出する状態で円筒状に形成されている。
【００３９】
逆止弁３２は、装着部３７の開口部を通してコネクタ本体３１の内部に装着されるものである。逆止弁３２は、コネクタ本体３１の内部で空気の逆流を防止する機能を果たす。
【００４０】
受け入れ部材３３は、後述する連結部材（ゴム球ユニット６の一つの要素となる部分）を同軸状に受け入れる部材である。受け入れ部材３３は、装着部３７の段付き構造に対応して、断面円形の段付き状に形成されている。受け入れ部材３３は、図１０（Ａ），（Ｂ），（Ｃ）に示すように、筒部３３ａと、シール装着部３３ｂと、嵌合部３３ｃと、つば部３３ｄとを一体に有している。これらの筒部３３ａ、シール装着部３３ｂ、嵌合部３３ｃおよびつば部３３ｄは、受け入れ部材３３の中心軸方向に連続して形成されている。また、筒部３３ａ、シール装着部３３ｂおよび嵌合部３３ｃは、それぞれ略円筒状に形成されている。
【００４１】
筒部３３ａは、受け入れ部材３３の中心軸方向の一方に突出する状態で形成されている。筒部３３ａのシール装着部３３ｂとは反対側の一端部は、正面視円形に開口している。筒部３３ａの開口縁は、受け入れ部材３３の中心軸まわりの円周方向において、主に４つの部分に区分されている。これら４つの部分のうち、２つの部分は、受け入れ部材３３の中心軸方向に凹状にへこんだ係着部３３ｅとなっており、他の２つの部分は、受け入れ部材３３の中心軸方向で係着部３３ｅよりも突出した案内部３３ｆとなっている。図１０（Ｃ）において、係着部３３ｅは、図中上下方向で対をなして配置され、案内部３３ｆは、図中左右方向で対をなして配置されている。また、上下一対の係着部３３ｅの幅Ｗ１は互いに等しく設定されている。ただし、上側の係着部３３ｅの形成位置は、受け入れ部材３３の中心軸の位置に対して図中右側に片寄っており、下側の係着部３３ｅの形成位置は、図中左側に片寄っている。また、筒部３３ａの外周面上には円周方向に９０度ピッチで４つの突条部３３ｇが形成されている。各々の突条部３３ｇは、受け入れ部材３３の中心軸方向に沿って筒部３３ａの外周面に断面凸形状に形成されている。
【００４２】
筒部３３ａの内径および外径は、それぞれシール装着部３３ｂの内径および外径よりも小さく設定されている。シール装着部３３ｂは、後述するＯリング３９を装着する部分となる。シール装着部３３ｂの内径および外径は、それぞれ嵌合部３３ｃの内径および外径よりも小さく設定されている。嵌合部３３ｃは、装着部３７の内側に嵌合される部分となる。嵌合部３３ｃの外周面上には、複数の凸部３３ｈ，３３ｉが形成されている。
【００４３】
さらに詳述すると、凸部３３ｈは、前述した切り欠き部３７ｂ（図８参照）に対応して設けられたものであり、凸部３３ｉは、前述した切り欠き部３７ａ（図８参照）に対応して設けられたものである。２つの凸部３３ｈは、受け入れ部材３３の中心軸で直交する２つの軸のうち、第１の軸上に設けられ、他の２つの凸部３３ｉは、第２の軸上に設けられている。また、２つの凸部３３ｈの位置と、２つの凸部３３ｉの位置は、受け入れ部材３３の中心軸まわりの円周方向で９０度ずつずれている。
【００４４】
つば部３３ｄは、嵌合部３３ｃの外周面から受け入れ部材３３の径方向に突出する状態で形成されている。つば部３３ｄは、前述した装着部３７に受け入れ部材３３を装着したときに、装着部３７の開口部につば部３３ｄがちょうど重なり合うように、装着部３７の開口縁の形状にあわせて形成されている。
【００４５】
受け入れ部材３３は、Ｏリング３９を装着した状態でコネクタ本体３１の装着部３７に装着されるようになっている。Ｏリング３９は、装着部３７の内周部分とこれに対応する受け入れ部材３３の外周部分との隙間部分からの空気漏れを防止する気密シール用の部材である。Ｏリング３９は、受け入れ部材３３のシール装着部３３ｂに装着される。そして、Ｏリング３９は、受け入れ部材３３を装着部３７に装着したときに、装着部３７の内周側の段付き部分に押し付けられることにより、気密シール機能を果たす。
【００４６】
エアーコネクタ３４は、コネクタ本体３１とエアープラグ３５とをつなぐ部材である。エアーコネクタ３４は、たとえば、熱可塑性エラストマー（TPE;Thermoplastic elastomer）などのゴム状弾性体によって構成されている。エアーコネクタ３４をゴムで構成する場合は、このゴムの硬度として、たとえば、Ｈｓ（ＪＩＳスプリング式）規格で７０度程度のものを用いることが望ましい。
【００４７】
エアーコネクタ３４は、コネクタ本体３１の縮径部３６に差し込んで装着される。エアーコネクタ３４は、当該エアーコネクタ３４の中心軸方向に貫通した穴を有する、断面円形の中空構造になっている。エアーコネクタ３４の外周面には２つのフランジ部４０ａが一体に形成されている。２つのフランジ部４０ａは、エアーコネクタ３４の中心軸方向に隣り合う位置関係で形成されている。そして、２つのフランジ部４０ａの間に凹溝４０ｂが形成されている。凹溝４０ｂは、エアーコネクタ３４の全周にわたって連続した溝構造になっている。また、フランジ部４０の形成部位を境にエアーコネクタ３４を第１のコネクタ部分３４ａと第２のコネクタ部分３４ｂに区分すると、第１のコネクタ部分３４ａはコネクタ本体３１側を向いて配置され、第２のコネクタ部分３４ｂはエアープラグ３５側を向いて配置されるようになっている。
【００４８】
第１のコネクタ部分３４ａ側の内径と、第２のコネクタ部分３４ｂ側の内径は、それぞれに対応する部分に適合するように、異なる径に設定されている。具体的には、第１のコネクタ部分３４ａ側の内径は、コネクタ本体３１の縮径部３６の外径に対応して、たとえば縮径部３６の外径よりも僅かに小さく設定されている。一方、第２のコネクタ部分３４ｂ側の内径は、後述するエアープラグ３５の差し込み部４４の外径に対応して、たとえば差し込み部４４の外径よりも僅かに小さく設定されている。このように内外径の大小関係を設定する理由は、各々の嵌合部分からの空気の漏れを防止するためである。
【００４９】
また、第１のコネクタ部分３４ａの外周面には目印４１が形成されている。そして、この目印４１に対応して、コネクタ本体３１の外周面で、かつ縮径部３６の近傍にも、目印４２が形成されている。各々の目印４１，４２は、Ｖ字形に形成されている。そして、互いのＶ字形の先端部分（鋭角部分）を突き合わせた状態とすることで、コネクタ本体３１に対するエアーコネクタ３４の取り付けの方向性（向き）が適切な方向となるように設定されている。
【００５０】
エアープラグ３５は、前述したチューブ４を血圧計本体２に接続するための部材であって、血圧計本体２から突出した状態に配置される。エアープラグ３５は、たとえば、樹脂の一体成形によって得られる成形体である。エアープラグ３５は、チューブ４の挿入を容易に行えるように、たとえば、ＡＢＳ樹脂などの硬質の樹脂を用いて構成される。このエアープラグ３５には、図１１（Ａ），（Ｂ）にも示すように、差し込み部４４と、複数の爪部４５ａ，４５ｂと、チューブ導入部４６と、周溝４７と、くびれ部４８と、ストッパー部４９とが一体に形成されている。エアープラグ３５の内部には、このエアープラグ３５を中心軸方向に貫通する細長い穴が形成されている。
【００５１】
差し込み部４４は、円筒状に形成されている。差し込み部４４は、前述したエアーコネクタ３４に差し込んで装着される部分である。複数の爪部４５ａ，４５ｂは、エアープラグ３５の円周方向に４つに分割した状態で形成されている。このうち、２つの爪部４５ａは、エアープラグ３５の中心軸を挟んで相対向する状態に配置されている。同様に、残り２つの爪部４５ｂも、エアープラグ３５の中心軸を挟んで相対向する状態に配置されている。各々の爪部４５ａ，４５ｂは、それ自身の弾性変形により、エアープラグ３５の径方向に若干撓むようになっている。また、２つの爪部４５ａの端部は、それぞれ外向き（エアープラグ３５の径が拡大する方向）に屈曲したフック構造になっている。
【００５２】
チューブ導入部４６は、前述したチューブ４の端部をエアープラグ３５に装着するときに、チューブ４の差し込みを案内する部分である。チューブ導入部４６は、先細の台形円錐形状に形成されている。また、チューブ導入部４６の周溝４７側の端部の外径は、チューブ４の内径よりも若干小さく設定されている。
【００５３】
周溝４７は、エアープラグ３５の全周にわたって連続するように形成されている。周溝４７は、エアープラグ３５の中心軸方向において、チューブ導入部４７とくびれ部４８との間に形成されている。くびれ部４８は、エアープラグ３５の中心軸方向の略中間部で、かつ周溝４７の隣に形成されている。くびれ部４８は、エアープラグ３５の外周面の一部をくびれさせることで形成されている。また、エアープラグ３５の中心軸方向において、周溝４７とくびれ部４８との境界部分は、エアープラグ３５の径方向に突出しており、この突出部分５０の外径がチューブ４の内径よりも若干大きく設定されている。このような寸法関係に設定する理由は、チューブ４をエアープラグ３５に差し込んだときに、突出部分５０をチューブ４の内周面に常時接触させて、そこからの空気漏れを防止するためである。
【００５４】
ストッパー部４９は、チューブ導入部４６を通して装着されるチューブ４の差し込みの終端位置を規制するものである。ストッパー部４９は、エアープラグ３５の中心軸方向において、くびれ部４８の一端側で、かつ周溝４７とは反対側に設けられている。ストッパー部４９は、くびれ部４８から連続するようにテーパー状に形成されている。ストッパー部４９の最大の外径は、チューブ４の差し込みの終端位置を突き当てによって規制するために、チューブ４の内径よりも大きく設定されている。
【００５５】
（ボトムケースユニットの構成）
図１２（Ａ）はボトムケースユニットを上側からみた斜視図であり、同図（Ｂ）はボトムケースユニットを下側からみた斜視図である。また、図１３（Ａ）はボトムケースユニットを上側からみたときの分解斜視図であり、同図（Ｂ）はボトムケースユニットを下側からみたときの分解斜視図である。
【００５６】
ボトムケースユニット１０は、計測器ユニット５の下側のケースを構成するものである。また、ボトムケースユニット１０は、前述したアッパーケースユニット７との組み合わせによって、血圧計本体２の本体ケースを構成するものである。ボトムケースユニット１０は、ケース半体５１と、バッテリーカバー５２とを用いて構成されている。ケース半体５１は、前述したアッパーケースユニット７のケース半体１１と組み合わせられる。ケース半体５１は、ケース半体１１と同様に、たとえば、樹脂の一体成形によって得られる成形体であって、全体的に平面視略矩形状に形成されている。
【００５７】
ケース半体５１の外面側には、電池装着部５３が一体に形成されている。電池装着部５３は、血圧計１の主電源となる電池を着脱可能に装着するための部分である。電池装着部５３の両端部には、これに装着される電池の正極および負極と電気的かつ機械的に接触する電池ターミナル５４が装着されるようになっている。また、ケース半体５１の外面で矩形に縁取られた部分５１ａには、シール５９（図２参照）が貼り付けられるようになっている。シール５９には、たとえば、血圧計１の製品型番などを表記するために貼られるものである。
【００５８】
また、ケース半体５１の一端部には、図２４（Ａ），（Ｂ）にも示すように庇部６６が設けられている。庇部６６は、「帽子のつば」のように突出した状態でケース半体５１に一体に形成されている。ケース半体５１の外面には、庇部６６とその近傍に位置して、目印６７と操作方向表記部６８が形成されている。目印６７と操作方向表記部６８は、ゴム球７１が装着される部分の近傍に、互いに近接した状態で形成されている。また、目印６７は、一つの頂部を外向きに配置した三角形（Ｖ字形でも可）の形状に形成されている。操作方向表記部６８は、計測器ユニット５からゴム球７１を取り外すときの操作方向を表記する部分である。この操作方向表記部６８は、上記操作方向を示す矢印と、操作の内容を示す文字（図例では「ＯＰＥＮ」）の組み合わせによって形成されている。
【００５９】
ケース半体５１の内面側には、前述した基板ユニット８を支える複数（図例では３つ）のボス５５と、基板ユニット８の支持と取り付け位置の案内を兼ねる複数（図例では４つ）のボス５６と、基板ユニット８の固定と取り付け位置の案内を兼ねる複数（図例では３つ）のボス５７と、基板ユニット８を押さえるための押さえ爪５８とが設けられている。
【００６０】
複数のボス５５は、各々のボス５５の上に基板ユニット８を載せるかたちで、基板ユニット８を下側から支持する。複数のボス５６の上端部には、それぞれ突起が形成されている。そして、各々のボス５６は、その上端の突起部分を、これに対応して基板ユニット８のプリント配線基板２０に設けられた切り欠き部や基板エッジ近傍部に引っ掛ける形態で、基板ユニット８の取り付け位置を規制する。複数のボス５７は、ネジ止めによって計測器ユニット５全体をまとめて固定するときに、後述するネジ８４（図２参照）が通される部分である。各々のボス５７の上端部にも、基板ユニット８の取り付け位置を規制する突起がそれぞれ形成されている。
【００６１】
また、ケース半体５１の内面側には受け皿部６０が設けられている。受け皿部６０は、ブザー６３を装着するための部分である。このため、受け皿部６０は、ブザー６３の大きさや形状にあわせて円形に形成されている。ブザー６３は、たとえば、なんらかの異常発生や計測エラー、あるいはボタン１９を操作したときの操作確定や血圧測定の終了などを、ブザー音の発生によって測定者や被測定者に知らせるためのものである。さらに、ケース半体５１の内面側には、前述したアッパーケースユニット７のケース半体１１との間で、受け入れ部材３３、エアーコネクタ３４およびエアープラグ３５をそれぞれ保持する保持部６１ａ，６１ｂ，６１ｃが設けられている。
【００６２】
上記３つの保持部６１ａ，６１ｂ，６１ｃのうち、保持部６１ａは、前述したアッパーケースユニット７側の保持部１５ａとの組み合わせによって、エアーコネクタ３４のフランジ部４０ａを収容するスリット空間や、エアーコネクタ３４の凹溝４０ｂに嵌合する板状部を形成するものである。保持部６１ｂは、前述したアッパーケースユニット７側の保持部１５ｂとの組み合わせによって、エアープラグ３５の爪部４５ａが引っ掛かる断面円形の周壁部分や、エアープラグ３５の爪部４５ｂが接触する断面円形の周壁部分を形成するものである。保持部６１ｃは、前述したアッパーケースユニット７側の保持部１５ｃとの組み合わせによって、前述した受け入れ部材３３およびコネクタ本体３１の端部（装着部３７の開口縁部）を挟持する断面円形の周溝部分を形成するものである。保持部６１ｃは、庇部６６の根元部分の内側に形成されている。
【００６３】
バッテリーカバー５２は、ケース半体５１に形成された電池装着部５３を覆う絶縁性のカバーである。バッテリーカバー５２には２つの支軸５２ａと、１つの引っ掛け爪５２ｂとが一体に形成されている。２つの支軸５２ａは、互いに同軸上で対向する状態に形成されている。２つの支軸５２ａは、ケース半体５１にバッテリーカバー５２を取り付ける場合に、ケース半体５１に設けられた２つの小穴にそれぞれ嵌合することで、バッテリーカバー５２を開閉自在に支持するものである。引っ掛け爪５２ｂは、ケース半体１１，５１を組み合わせる場合に、ケース半体１１の一部に引っ掛けられることで、バッテリーカバー５２を閉じ状態に保持するものである。
【００６４】
（ゴム球ユニットの構成）
図１４（Ａ）〜（Ｃ）はゴム球ユニットの構成とその組立手順を示す斜視図である。ゴム球ユニット６は、ゴム球７１と、吸気弁７２と、連結部材７３とを用いて構成されている。ゴム球７１は、全体的にたまご型に形成されている。ゴム球７１の内部は、ゴム球７１の外形にほぼ相似したかたちの空間になっている。ゴム球７１の中心軸方向の一方と他方には、それぞれ穴が設けられている。
【００６５】
吸気弁７２は、ゴム球７１の一方の穴を塞ぐように装着される。吸気弁７２は、ゴム球７１を繰り返し握って空気を送るときに、外部の空気をゴム球７１内に取り込むとともに、この取り込んだ空気が外部に逃げないように、空気の流れを整流するものである。
【００６６】
連結部材７３は、ゴム球７１を計測器ユニット５に連結するための部材となる。このジョイント７３は、ゴム球ユニット６を計測器ユニット５に装着するにあたって、前述した受け入れ部材３３を用いて本体ケース（１１，５１）に接続される。連結部材７３は、吸気弁７２と反対側でゴム球７１の他方の穴に差し込むように装着される。連結部材７３の内部には、この連結部材７３の中心軸方向に沿って貫通穴が設けられている。
【００６７】
連結部材７３は、図１５（Ａ），（Ｂ），（Ｃ）に示すように、第１の差し込み部７４と、第２の差し込み部７５とを一体に有している。第１の差し込み部７４は、連結部材７３の中心軸方向の一方側に位置し、第２の差し込み部７５は、連結部材７３の中心軸方向の他方側に位置している。
【００６８】
第１の差し込み部７４は、ゴム球７１の穴に差し込まれる部分となる。第１の差し込み部７４には、差し込み導入部７４ａと、周溝部７４ｂとが一体に形成されている。第１の差し込み部７４は、断面円形の筒状に形成されている。差し込み導入部７４ａは、連結部材７３をゴム球７１の穴に差し込むときのガイドとなる。このガイド機能をもたせるために、差し込み導入部７４ａは台形円錐形状に形成されている。周溝部７４ｂは、後述するリング７８で連結部材７３をゴム球７１に固定するときに、リング７８（図１４参照）によって締め付けられる部分となる。
【００６９】
一方、第２の差し込み部７５は、前述したコネクタ本体３１の受け入れ部材３３に差し込まれる部分となる。第２の差し込み部７５には、一対の係止片７５ａと、シール装着部７５ｂと、嵌合部７５ｃと、つば部７５ｄとが一体に形成されている。第２の差し込み部７５は、一対の係止片７５ａの部分を除いて、段付きの円筒形状に形成されている。
【００７０】
一対の係止片７５ａは、連結部材７３の中心軸を挟んで相対向する状態に配置されている。一対の係止片７５ａは、連結部材７３を中心軸方向からみたときに、円筒構造の両側を均等に切り欠いたような形態で形成されている。各々の係止片７５ａの幅Ｗ２は、前述した係着部３３ｅの幅Ｗ１（図１０参照）よりも小さく設定されている。各々の係止片７５ａは、基端が固定され、その反対となる先端を自由端とした、いわゆる片持ち梁の形態で、連結部材７３の中心軸方向に突出している。この構成により、一対の係止片７５ａは、互いに接近離間する方向に可撓性（弾性変形し得る性質）を有するものとなっている。各々の係止片７５ａが撓む方向は、受け入れ部材３３に連結部材７３を装着する際に、受け入れ部材３３の開口の径方向に相当する方向となる。
【００７１】
各々の係止片７５ａの先端部には、引っ掛け部７５ｅが形成されている。引っ掛け部７５ｅは、連結部材７３の径方向の外側に向けてフック状に屈曲した状態で形成されている。この引っ掛け部７５ｅは、受け入れ部材３３に連結部材７３を装着する際に、受け入れ部材３３の開口の拡径方向に凸状をなすように形成されている。一対の引っ掛け部７５ｅの最外縁は、同一の円周をなすように形成されており、その外径は前述した筒部３３ａの内径よりも大きく設定されている。また、引っ掛け部７５ｅの凸部分を除いて、一対の係止片７５ａの最外縁の外径は、筒部３３ａの内径よりも僅かに小さく設定されている。
【００７２】
各々の引っ掛け部７５ｅには、テーパー部７５ｆが形成されている。テーパー部７５ｆは、受け入れ部材３３に連結部材７３を装着する際に、筒部３３ａの円周方向の一方側に位置するように引っ掛け部７５ｅの一端に、当該引っ掛け部７５ｅの角部を斜めに弧状に切り欠いた状態で形成されている。このため、図１５（Ｃ）のように連結部材７３の第２の差し込み部７５を正面からみた場合、一方の引っ掛け部７５ｅに形成されたテーパー部７５ｆと、他方の引っ掛け部７５ｅに形成されたテーパー部７５ｆとの位置関係は、連結部材７３の中心軸を基準（中心点）に点対称な位置関係となっている。また、連結部材７３の中心軸を通る斜めの軸線を基準に考えると、この斜めに軸線上に一方のテーパー部７５ｆと他方のテーパー部７５ｆが形成されている。
【００７３】
シール装着部７５ｂは、Ｏリング７７（図１４参照）を装着する部分となる。嵌合部７５ｃは、受け入れ部材３３の内側に嵌合される部分となる。嵌合部７５ｃの外周面には、Ｖ字形の目印７９が形成されている。この目印７９は、計測器ユニット５にゴム球ユニット６を装着するときに、ゴム球ユニット６の向きが適正であるかどうかを目視で確認するために用いられる。つば部７５ｄは、前述した第１の差し込み部７４との境界部分で、嵌合部７５ｃの外周面から連結部材７３の径方向に突出する状態で形成されている。つば部７５ｄは、受け入れ部材３３に連結部材７３を装着したときに、受け入れ部材３３のつば部３３ｄと近接または面接触する状態に配置される。
【００７４】
連結部材７３は、上記図１４に示すように、リング７８を用いてゴム球７１に固定される。リング７８は、たとえば、アルミニウム、ステンレスなどの金属を用いて構成されるものである。リング７８は、径方向に適度に変形し得るようにＣ字形に形成されている。
【００７５】
＜３．血圧計本体の組立手順＞
続いて、血圧計本体２の組立手順について説明する。
【００７６】
まず、図１６（Ａ）に示すように、コネクタ本体３１の一端部にエアーコネクタ３４を装着する。具体的には、コネクタ本体３１の縮径部３６（図７、図８参照）にエアーコネクタ３４の第１のコネクタ部分３４ａの穴を嵌め込むようにする。このとき、コネクタ本体３１に付された目印４２とエアーコネクタ３４に付された目印４１を突き合わせるようにする。
【００７７】
また、上述のようにエアーコネクタ３４をコネクタ本体３１に装着したら、そのコネクタ本体３１の２つの分岐部３８ａ，３８ｂに、それぞれ中継部材８１ａ，８１ｂを介して、電子制御排気弁８２とマイクセンサ８３を接続する。中継部材８１ａは、コネクタ本体３１と電子制御排気弁８２とをつなぐ部材となり、中継部材８１ｂは、コネクタ本体３１とマイクセンサ８３をつなぐ部材となる。中継部材８１ｂの上端部は開口しており、この開口部分に前述した圧力センサ２５（図６参照）が接続されるようになっている。
【００７８】
電子制御排気弁８２は、中継部材８１ａを介して送られる圧縮空気を電子的な制御によって排気する弁である。マイクセンサ８３は、コロトコフ音を検出するセンサである。コロトコフ音とは、周知の聴診法（リバロッジコロトコフ法）で血圧を測定する際に必要となるもので、被測定者の動脈の通過部位、たとえば上腕部などをカフユニット３で圧迫したときに、カフの内圧（Ｐcuff）と被測定者の血圧（最高血圧：Ｐsys.、最低血圧：Ｐdia.）とが、「Ｐsys.＞Ｐcuff＞Ｐdia.」の関係にある期間、カフユニット３の末梢側端付近において血流による血液の渦が血管の壁にぶつかることによって生じる音である。
【００７９】
次に、図１６（Ｂ）に示すように、コネクタユニット９をボトムケースユニット１０のケース半体５１に装着する。このとき、ボトムケースユニット１０への装着に先立って、ケース半体５１にバッテリーカバー５２を装着しておくとともに、前述したＯリング３９、逆止弁３２（図７、図８参照）と受け入れ部材３３とをコネクタ本体３１に装着しておく。また、前述した電子制御排気弁８２およびマイクセンサ８３とともに、コネクタユニット９をケース半体５１に装着する。
【００８０】
ボトムケースユニット１０にコネクタユニット９を装着するにあたっては、エアーコネクタ３４を保持部６１ａに嵌め込むとともに、エアープラグ３５を保持部６１ｂに嵌め込む。さらに、受け入れ部材３３のつば部３３ｄと装着部３７の開口縁部を、保持部６１ｃに嵌め込む。また、電子制御排気弁８２とマイクセンサ８３をそれぞれケース半体５１内のあらかじめ定められた位置に収容する。
【００８１】
次に、図１７に示すように、基板ユニット８をケース半体５１に取り付ける。基板ユニット８は、先ほど装着したコネクタユニット９の上からかぶせるように取り付ける。このとき、中継部材８１ｂの上端の開口部を圧力センサ２５（図６参照）に接続する。また、プリント配線基板２０に設けられたコネクタ２６（図６参照）を、これに対応してケース半体５１の内部に設けられた図示しないコネクタに接続する。さらに、プリント配線基板２０の切り欠き部２０ｂ（図６参照）にケース半体５１の押さえ爪５８を引っ掛ける。
【００８２】
また、基板ユニット８の取り付けに際しては、ケース半体５１に設けられた複数のボス５５，５６の上にプリント配線基板２０を載せるとともに、プリント配線基板２０に設けられた３つの切り欠き部２０ａを、それに対応してケース半体５１に設けられた３つのボス５７に位置合わせする。そうすると、基板ユニット８のプリント配線基板２０が３つのボス５７の上に載った状態で、ボス５６，５７の突起との引っ掛かりによりプリント配線基板２０の動きが制限される。このため、ケース半体５１に対して基板ユニット８の取り付け位置が決まる。
【００８３】
次に、図１８に示すように、ボトムケースユニット１０のケース半体５１に、アッパーケースユニット７のケース半体１１を取り付ける。ケース半体１１は、先ほど取り付けた基板ユニット８の上からかぶせるように取り付ける。このとき、コネクタユニット９のエアーコネクタ３４については、ケース半体５１の保持部６１ａとケース半体１１の保持部１５ａとで挟み込むように保持する。また、コネクタユニット９のエアープラグ３５については、ケース半体５１の保持部６１ｂとケース半体１１の保持部１５ｂとで挟み込むように保持する。この場合は、エアープラグ３５に設けられた４つの爪部４５ａ，４５ｂがケース半体１１の保持部１５ｂに挟持された状態となる。また、コネクタユニット９の装着部３７とこれに装着された受け入れ部材３３については、ケース半体５１の保持部６１ｃとケース半体１１の保持部１５ｃとで挟み込むように保持する。
【００８４】
こうしてケース半体１１，５１を組み合わせることで、血圧計本体２の本体ケースが構成される。この本体ケース（１１，５１）の一部でエアープラグ３５が装着される側には、上記図５に示すような環状部６４が形成される。この環状部６４の内径は、後述するエアープラグ３５の首振り動作を許容するために、環状部６４の内側に挿入されるエアープラグ３５の外径よりも大きくなるように設定される。一方、本体ケース（１１，５１）の一部で受け入れ部材３３が装着される側には、図２０で示す「すり鉢状」の差し込み口６５が形成される。この差し込み口６５の開口径は、受け入れ部材３３の装着部位から差し込み口６５の開口端にむかって徐々に大きくなるように設定される。
【００８５】
次に、図１９に示すように、複数（図例では３つ）のネジ８４を用いて、ケース半体１１，５１同士を固定する。具体的には、ボトムケースユニット１０のケース半体５１に下方から３つのネジ８４を差し込んで、各々のネジ８４をドライバ等で締め込むことにより、ケース半体１１，５１同士を固定する。この場合は、アッパーケースユニット７のケース半体１１に設けられているネジ止め穴１６に、それぞれ対応するネジ８４を螺合させることによってケース半体１１，５１が締結される。
この段階で計測器ユニット５の組み立てが完了となる。
【００８６】
続いて、図２０に示すように、計測器ユニット５にゴム球ユニット６を装着する。ゴム球ユニット６の装着は、次のような手順で行う。まず、計測器ユニット５への装着に先立って、ゴム球ユニット６を組み立てておく。ゴム球ユニット６の組立工程では、ゴム球７１に吸気弁７２を装着する作業と、連結部材７３にＯリング７７を装着する作業と、ゴム球７１にリング７８を用いて連結部材７３を装着する作業とが行われる。こうして得られるゴム球ユニット６を計測器ユニット５に組み付ける場合は、ゴム球７１に装着された連結部材７３を、計測器ユニット５の本体ケース（１１，５１）の差し込み口６５を通して受け入れ部材３３に差し込むようにする。このとき、ゴム球ユニット６の連結部材７３は、これに装着されたＯリング７７の介在によって、コネクタ本体３１の受け入れ部材３３に気密状態に装着される。また、連結部材７３に形成された一対の係止片７５ａの引っ掛け部７５ｅが、受け入れ部材３３の係着部３３ｅに引っ掛けられることにより、ゴム球ユニット６の抜け止めがなされる。
【００８７】
以上のような手順によって、図２１（Ａ），（Ｂ）のように血圧計本体２が組み立てられる。こうして組み立てられた血圧計本体２は、前述したチューブ４を用いてカフユニット３と接続される。その際、チューブ４は、コネクタ本体３１に装着されたエアープラグ３５に差し込まれ、その差し込みの途中でチューブ４の内周面がエアープラグ３５の突出部分５０に接触する。これにより、チューブ４の穴が突出部分５０との接触によって押し広げられた状態、つまり空気漏れが阻止された状態となる。そして、その状態のもとで、チューブ４の端部がエアープラグ３５のストッパー部４９に突き当てられる。
【００８８】
なお、血圧計本体２に対するチューブ４の取り付けは、以下のような手順で行ってもよい。まず、血圧計本体２から取り外した状態のエアープラグ３５にチューブ４を装着する。次に、チューブ付きのエアープラグ３５を血圧計本体２の環状部６４（図５参照）の内側に差し込むことにより、エアープラグ３５とエアーコネクタ３４を相互に接続する。
【００８９】
＜４．エアーコネクタとエアープラグの取付状態＞
図２２（Ａ）は血圧計本体のチューブ接続部分（図２１のＪ−Ｊ矢視部分）の構造を示す断面図であり、同図（Ｂ）はその斜視図である。図示のように、エアーコネクタ３４の２つのフランジ部４０ａによって形成される凹溝４０ｂは、本体ケース（１１，５１）の保持部（１５ａ，６１ａ）に嵌め込まれている。この嵌め込み構造により、コネクタ本体３１の中心軸方向へのエアーコネクタ３４の動きと、コネクタ本体３１の径方向へのエアーコネクタ３４の動きが規制されている。
【００９０】
また、エアーコネクタ３４とエアープラグ３５は、コネクタ本体３１の中心軸方向に直列に連結するかたちで、次のように結合されている。すなわち、エアープラグ３５の差し込み部４４は、エアーコネクタ３４の穴に差し込まれている。この差し込み構造においては、差し込み部４４の外周面がエアープラグ３５の穴の内周面に密着し、この状態でエアープラグ３５の中心を貫通する穴が、コネクタ本体３１の中心を貫通する穴と空間的につながっている。また、エアープラグ３５の４つの爪部４５ａ，４５ｂの内側の空間部分に、エアーコネクタ３４の一端部が差し込まれた状態となっている。この状態では、４つの爪部４５ａ，４５ｂの内周面と、その内側に差し込まれたエアーコネクタ３４の第２のコネクタ部分３４ｂの外周面との間に、僅かな隙間が確保されている。
【００９１】
また、エアープラグ３５に設けられた４つの爪部４５ａ，４５ｂのうち、先端にフック構造をもつ２つの爪部４５ａは、それぞれ本体ケース（１１，５１）の保持部（１５ｂ，６１ｂ）に対して、爪部４５ａ自身の弾性により、弾性的に接触する状態で引っ掛けられている。また、他の２つの爪部４５ｂについても、それぞれ本体ケース（１１，５１）の保持部（１５ｂ，６１ｂ）に対して、爪部４５ｂ自身の弾性により、弾性的に接触する状態で突き当てられている。
【００９２】
上記の引っ掛け構造により、コネクタ本体３１の中心軸方向へのエアープラグ３５の動きと、コネクタ本体３１の径方向へのエアープラグ３５の動きが規制されている。また同時に、コネクタ本体３１の中心軸方向へのエアープラグ３５の動きが規制されることで、本体ケース（１１，５１）からのエアープラグ３５の抜け止めがなされている。また、上記の突き当て構造と前述した引っ掛け構造により、エアープラグ３５は、４つの爪部４５ａ，４５ｂからバランスよく力を受ける。このため、外力が加わっていない状態では、エアープラグ３５の姿勢が、コネクタ本体３１の中心軸に対して傾きなく維持される。
【００９３】
このようにエアーコネクタ３４とエアープラグ３５を取り付けた状態では、実際にエアープラグ３５のチューブ導入部４６にチューブ４の一端を接続し、かつチューブ４の他端をカフユニット３に接続して血圧計１を使用する場合に、エアープラグ３５が首振り可能に支持された状態となる。以下、エアープラグ３５の首振りの原理について説明する。
【００９４】
まず、エアープラグ３５の差し込み部４４は、全体にゴム状弾性を有するエアーコネクタ３に差し込まれている。このため、コネクタ本体３１の中心軸に対してエアープラグ３５を傾けるような外力が加わると、この外力を受けてエアーコネクタ３４の一部（差し込み部４４が密着する部分）が圧縮変形する。その結果、エアープラグ３５は、図２３（Ａ），（Ｂ）に例示するように、外力の作用する方向に傾くような、いわゆる首振り動作をする。
【００９５】
エアープラグ３５の傾きの方向（首振りの方向）は、特定の方向に限定されることなく、コネクタ本体３１の中心軸回りの全方向に許容される。なぜなら、エアープラグ３５の差し込み部４４が円筒状をなし、その外周面の全周にわたってエアーコネクタ３４が適度な肉厚をもって差し込み部４４を包み込んでいるからである。首振りによるエアープラグ３５の傾き角度は、エアーコネクタ３４の硬度や肉厚にもよるが、好ましくは、コネクタ本体３１の中心軸に対して最大で５〜１０°の角度範囲、さらに好ましくは、最大で約８度まで許容されるように設計するとよい。
【００９６】
＜５．受け入れ部材と連結部材の取付状態＞
前述したように計測器ユニット５にゴム球ユニット６を装着する場合は、図２５に示すように、血圧計本体２の計測器ユニット５側に形成された目印６７とゴム球ユニット６側に形成された目印７９とを互いに突き合わせるようにして、計測器ユニット５にゴム球ユニット６を装着する。これにより、計測器ユニット５に対してゴム球ユニット６の取付けの向きが適正な向きとなる。
【００９７】
また、計測器ユニット５をゴム球ユニット６に装着する場合は、図２６（Ａ）に示すように、連結部材７３の第２の差し込み部７５を受け入れ部材３３に差し込むようにする。この差し込みの途中では、図２６（Ｂ）に示すように、一対の係止片７５ａに設けられた引っ掛け部７５ｅが、それぞれ受け入れ部材３３の筒部３３ａの内周面に接触する状態となる。また、その状態では、一対の係止片７５ａが互いに接近するように内側に撓み、その撓み反力をもって各々の引っ掛け部７５ｅが筒部３３ａの内周面に接触（圧接）した状態となる。
【００９８】
その後、差し込みの終端では、図２６（Ｃ）に示すように、一対の係止片７５ａの引っ掛け部７５ｅが、それぞれ筒部３３ａの開口端に位置する状態となる。この状態では、一対の係止片７５ａの引っ掛け部７５ｅが、それぞれ筒部３３ａの開口端の係着部３３ｅに引っ掛かった状態となる。具体的には、係着部３３ｅが凹状に形成されていて、この凹状の部分に係止片７５ａの引っ掛け部７５ｅが嵌り込んだ状態となる。こうした状態は、筒部３３ａの開口端において、係止片７５ａの撓み反力が開放されることによって得られる。
【００９９】
ちなみに、前述した「適正な向き」とは、ゴム球ユニット６の回転方向（円周方向）の向きであって、連結部材７３の第２の差し込み部７５を受け入れ部材３３に差し込んだときに、係止片７５ａの引っ掛け部７５ｅが、これに対応する筒部３３ａの係着部３３ｅに嵌合する向きをいう。
【０１００】
一方、上述のように計測器ユニット５に取り付けたゴム球ユニット６を取り外す場合は、操作方向表記部６８に表記された操作方向にゴム球ユニット６をまわす。この場合、操作方向表記部６８に表記される操作方向は、図２７（Ａ）に示すように、一対の係止片７５ａの各々について、引っ掛け部７５ｅの一端に形成されたテーパー部７５ｆ（図１５参照）が、凹状の係着部３３ｅ（図１０参照）の側壁に押し付けられる方向（図の時計回り方向）で設定されている。このため、実際に操作方向表記部６８の表記にしたがってゴム球ユニット６をまわすと、これに伴う連結部材７３の回転によって引っ掛け部７５ｅのテーパー部７５ｆが筒部３３ａの側壁に押し付けられる。そして、その押し付け力が係止片７５ａを内側に変位させようとする圧縮力となって作用する。このため、一対の係止片７５ａは、連結部材７３の回転とともに互いに接近する方向（内側）に撓み、その撓み量が所定量に達すると、各々の係止片７５ａが筒部３３ａの係着部３３ｅから離脱する。これにより、図２７（Ｂ）に示すように、連結部材７３の係止片７５ａが受け入れ部材３３の係着部３３ｅから完全に外れた状態となる。この状態で計測器ユニット５から離間する方向にゴム球ユニット６を引っ張ると、受け入れ部材３３から連結部材７３が引き抜かれる。
【０１０１】
ちなみに、操作方向表記部６８に表記された操作方向と反対方向にゴム球ユニット６をまわした場合は、テーパー部７５ｆが形成されていない引っ掛け部７５ｅの端面が係着部３３ｅの側壁に押し付けられる。この場合は、テーパー部７５ｆがないために、上記のように押し付け力が係止片７５ａを内側に変位させようとする圧縮力として作用しない。このため、上記操作方向にゴム球ユニット６をまわした場合に比べて、引っ掛け部７５ｅを係着部３３ｅから離脱させるのに必要な操作力が格段に大きくなる。
【０１０２】
＜６．実施の形態の効果＞
本発明の実施の形態に係る血圧計１においては、以下のような効果が得られる。
【０１０３】
（第１の効果）
計測器ユニット５にゴム球ユニット６を装着する場合に、連結部材７３を受け入れ部材３３に差し込むだけの操作、つまりワンタッチ操作で装着作業を終えることができる。このため、ネジ式構造で必要とされる、ゴム球をクルクルまわす作業が不要になる。また、受け入れ部材３３によって連結部材７３を受け入れる際に、一対の係止片７５ａが筒部３３ａの開口縁に引っ掛かることで、ゴム球７１の抜け止めがなされる。このため、ネジ式構造のような「締付けのゆるみ」という問題が起こらない。したがって、ゴム球の取付け構造にネジ式構造を採用する場合に比べて、ゴム球の着脱作業を簡単かつ短時間で行うことができる。
【０１０４】
（第２の効果）
血圧計１の構成上、連結部材７３に設けられた一対の係止片７５ａの各々が、これに対応して受け入れ部材３３の筒部３３ａの開口端に形成された一対の係着部３３ｅに引っ掛かるように構成されているので、上記のワンタッチ操作だけでゴム球７１の回り止めを実現することができる。
【０１０５】
（第３の効果）
血圧計１の構成上、一対の係止片７５ａの各々は、筒部３３ａの円周方向の一方側に位置して引っ掛け部７５ｅの一端に形成されたテーパー部７５ｆを有するものとなっているため、このテーパー部７５ｆを利用して、ゴム球ユニット６の取り外しに要する操作力を軽減することができる。また、テーパー部７５ｆの存在により、ゴム球ユニット６をまわすときの回転方向の違いが、作業者に与える操作の抵抗力の違いになって現れる。このため、操作の抵抗力の違いを利用して、ゴム球ユニット６を取り外すときの操作方向を一方向に制限することができる。
【０１０６】
（第４の効果）
血圧計１の構成上、血圧計本体２の本体ケース（１１，５１）の外面に操作方向表記部６８を形成してあるので、この操作方向表記部６８の表記にしたがってゴム球ユニット６をまわすように操作すれば、ゴム球ユニット６を簡単かつ適切に取り外すことができる。さらに、操作方向表記部６８については、操作方向を示す矢印と、操作の内容を示す文字との組み合わせによって形成しているため、ゴム球ユニット６の脱着作業を行う作業者に対して視覚的に操作の仕方を的確に認知させることができる。
【０１０７】
（第５の効果）
血圧計１の構成上、連結部材７３とケース本体（１１，５１）との接続部分に位置して、連結部材７３とケース本体とにそれぞれ目印６７，７９が設けられているため、それらの目印６７，７９の位置をあわせることで、計測器ユニット５に適正な向きでゴム球ユニット６を装着することができる。
【０１０８】
＜７．変形例＞
血圧計本体２とカフユニット３をつなぐチューブ４は、ゴム製のチューブに限らず、可撓性に富む軟らかい樹脂製のチューブであってよい。
【符号の説明】
【０１０９】
１…血圧計、２…血圧計本体、３…カフユニット、４…チューブ、５…計測器ユニット、６…ゴム球ユニット、７…アッパーケースユニット、８…基板ユニット、９…コネクタユニット、１０…ボトムケースユニット、３１…コネクタ本体、３３…受け入れ部材、３３ａ…筒部、３３ｅ…係着部、３４…エアーコネクタ、３５…エアープラグ、４１，４２、６７，７９…目印、６８…操作方向表記部、７１…ゴム球、７３…連結部材、７５ａ…係止片、７５ｅ…引っ掛け部、７５ｆ…テーパー部
【図１】
2011218012.tif 000003
【図２】
2011218012.tif 000004
【図３】
2011218012.tif 000005
【図４】
2011218012.tif 000006
【図５】
2011218012.tif 000007
【図６】
2011218012.tif 000008
【図７】
2011218012.tif 000009
【図８】
2011218012.tif 000010
【図９】
2011218012.tif 000011
【図１０】
2011218012.tif 000012
【図１１】
2011218012.tif 000013
【図１２】
2011218012.tif 000014
【図１３】
2011218012.tif 000015
【図１４】
2011218012.tif 000016
【図１５】
2011218012.tif 000017
【図１６】
2011218012.tif 000018
【図１７】
2011218012.tif 000019
【図１８】
2011218012.tif 000020
【図１９】
2011218012.tif 000021
【図２０】
2011218012.tif 000022
【図２１】
2011218012.tif 000023
【図２２】
2011218012.tif 000024
【図２３】
2011218012.tif 000025
【図２４】
2011218012.tif 000026
【図２５】
2011218012.tif 000027
【図２６】
2011218012.tif 000028
【図２７】
2011218012.tif 000029